(57)【要約】【課題】土砂などの粒状粒子の飛散防止のための固結層が、雑草などの発生によって破壊されるのを防止する。【解決手段】エマルジョンと塩類或いはアルカリ剤とを混ぜて飛散防止剤を作製し、その後、粒状粒子の集積部１０に対して飛散防止剤を散布して集積部の表層に粒状粒子が飛散するのを防止するための固結層１２を形成する。エマルジョンの替わりに水を用いて、これを飛散防止剤として集積部に散布しても良い。塩類としては、塩化カルシウムや塩化ナトリウム等、アルカリ剤としては消石灰やセメント等を使用すれば良い。【選択図】　　　　図１
2004008897.tif 000002
【特許請求の範囲】
【請求項１】
粒状粒子の集積部表面にエマルジョンを散布して粒状粒子の飛散を防止する方法であって、
塩類を含むエマルジョンを前記集積部表面に散布することを特徴とする粒状粒子の飛散防止方法。
【請求項２】
粒状粒子の集積部表面にエマルジョンを散布して粒状粒子の飛散を防止する方法であって、
アルカリを含むエマルジョンを前記集積部表面に散布することを特徴とする粒状粒子の飛散防止方法。
【請求項３】
粒状粒子の集積部表面にエマルジョンを散布した後、乾燥させて前記集積部の表面及び表面付近に粒状粒子の固結層を形成することで粒状粒子の飛散を防止する方法であって、
前記粒状粒子の結合剤を含むエマルジョンを前記集積部表面に散布することにより、前記固結層の強度を２５０（ｋＮ／ｍ２）以上とすることを特徴とする粒状粒子の飛散防止方法。
【請求項４】
エマルジョンと塩類とを含むことを特徴とする粒状粒子の飛散防止剤。
【請求項５】
エマルジョンとアルカリとを含むことを特徴とする粒状粒子の飛散防止剤。
【請求項６】
前記塩類は、塩化ナトリウム、塩化カリウム、塩化カルシウム及び塩化マグネシウムからなる群から選ばれる一つ又は複数の成分であることを特徴とする請求項４に記載の粒状粒子の飛散防止剤。
【請求項７】
前記アルカリは、消石灰、水酸化ナトリウム、水酸化カリウム、水酸化マグネシウム、水酸化鉄、水酸化アルミニウム及びセメントからなる群から選ばれる一つ又は複数の成分であることを特徴とする請求項５に記載の粒状粒子の飛散防止剤。
【発明の詳細な説明】
【０００１】
【発明の属する技術分野】
本発明は、土砂などの粒状粒子の集積部から粒状粒子が飛散するのを防止する飛散防止方法及び飛散防止剤に関する。
【０００２】
【従来の技術】
従来、建設廃棄物として生ずる汚泥は、産業廃棄物として処分されていたが、処分場の残余年数の不足、処分費の高騰などの理由により、処分が困難な状態となっている。したがって、国土交通省は、建設廃棄物の発生量を減少させるために、建設現場で発生した残土や汚泥のリサイクルを促進している。
建設工事において発生した土は、産業廃棄物として処分するのではなく、同一又は他の建設現場においてリサイクルし有効利用される計画となっている。このため、残土の発生時期とそれをリサイクル施工する時期が離れている場合、盛り土などをして、屋外に保管することがある。
【０００３】
しかし、盛り土が風に晒されると、土砂などの粒状粒子が飛散する問題が発生する。
また、護岸工事や法面緑化工事において、地肌がむき出しになった部分からも、粒状粒子の飛散が問題になる。このような問題は、盛り土だけではなく平坦地においても発生する。さらに、土砂に限らず石炭灰なども屋外に山積みされることが多く、その飛散が問題になる。
このような粒状粒子の飛散防止措置について、図２を参照して説明する。図２は、従来技術の粒状粒子の飛散防止措置例を示したものであり、粒状粒子が山積みにされた集積部の断面を示している。集積部としては、上述した盛り土、平坦地、地肌のむき出し部分等が含まれる。
【０００４】
飛散防止措置としては、ｉ）集積部１４の表層を水で締め固める、ｉｉ）集積部１４の表層をエマルジョンなどの飛散防止剤で固結させる、等の措置がとられる。
ｉ）の方法においては、図２に示す集積部１４の表面に、水を散布する。このとき、水が集積部１４の表層に入り込み、この部分においては集積部１４が締め固まる。この締め固まった表層が固結層１６となる。
ｉｉ）の方法においては、集積部１４の表面に、エマルジョンを用いた飛散防止剤を散布する。このとき、飛散防止剤が集積部１４の表層に浸透し、ある程度時間が経過すると飛散防止剤は乾燥して固結する。この固結した表層が固結層１６となる。
ｉ）及びｉｉ）の方法共に、形成された固結層１６が、集積部１４を構成する粒状粒子が風などによって飛散するのを防止する飛散防止効果を有する。
【０００５】
【発明が解決しようとする課題】
しかしながら、上述した飛散防止措置は、飛散防止効果はあるものの、粒状粒子の集積部１４から雑草１８などが発育し、その結果、雑草１８が飛散防止効果を有する固結層１６を押し上げ、破壊してしまうことがあった。
雑草１８の発育を防止する技術としては、殺藻剤をあらかじめ集積部１４に散布しておく方法もあるが、周辺環境の保護、作業員の安全の観点から、広く適用できる技術ではない。
【０００６】
本発明の課題は、粒状粒子の飛散防止のための固結層が、雑草などの発生によって破壊されるのを防止することである。
【０００７】
【課題を解決するための手段】
以上の課題を解決するため、請求項１記載の発明は、粒状粒子の集積部表面にエマルジョンを散布して粒状粒子の飛散を防止する方法であって、塩類を含むエマルジョンを前記集積部表面に散布することを特徴とする。
請求項１記載の発明によれば、エマルジョン散布により集積部の表面及び表面付近に固結層が形成されるので、粒状粒子の飛散防止効果を有する。さらに、散布されたエマルジョンには塩類を含むので、固結層においては植物の発芽及び発育が困難になる。したがって、集積部において発芽及び発育した雑草も固結層内に侵入して発育することは難しい。その結果、雑草により固結層が破壊されることがほとんどないので、長期間飛散防止効果を有する。さらには、固結層に雑草が存在しないので、集積部外観の美観を向上できる。
【０００８】
請求項２記載の発明は、粒状粒子の集積部表面にエマルジョンを散布して粒状粒子の飛散を防止する方法であって、アルカリを含むエマルジョンを前記集積部表面に散布することを特徴とする。
請求項２記載の発明によれば、エマルジョン散布により集積部の表面及び表面付近に固結層が形成されるので、粒状粒子の飛散防止効果を有する。さらに、散布されたエマルジョンにはアルカリを含むので、固結層においては植物の発芽及び発育が困難になる。したがって、集積部において発芽及び発育した雑草も固結層内に侵入して発育することは難しい。その結果、雑草により固結層が破壊されることがほとんどないので、長期間飛散防止効果を有する。さらには、固結層に雑草が存在しないので、集積部外観の美観を向上できる。
【０００９】
請求項３記載の発明は、粒状粒子の集積部表面にエマルジョンを散布した後、乾燥させて前記集積部の表面及び表面付近に粒状粒子の固結層を形成することで粒状粒子の飛散を防止する方法であって、前記粒状粒子の結合剤を含むエマルジョンを前記集積部表面に散布することにより、前記固結層の強度を２５０（ｋＮ／ｍ２）以上とすることを特徴とする。
請求項３記載の発明によれば、エマルジョン散布により集積部の表面及び表面付近に固結層が形成されるので、粒状粒子の飛散防止効果を有する。さらに、固結層の強度が２５０（ｋＮ／ｍ２）以上であれば固結層は十分硬いので、集積部において発芽及び発育した雑草が、固結層内に侵入し固結層を押し上げることができず、したがって、雑草の発育により固結層が破壊されることはない。
【００１０】
また、請求項４記載の発明は、粒状粒子の飛散防止剤であって、エマルジョンと塩類とを含むことを特徴とする。
請求項４記載の発明によれば、請求項１記載の発明と同様の効果を有する。
【００１１】
請求項５記載の発明は、粒状粒子の飛散防止剤であって、エマルジョンとアルカリとを含むことを特徴とする。
請求項５記載の発明によれば、請求項２記載の発明と同様の効果を有する。
【００１２】
請求項６記載の発明は、請求項４に記載の粒状粒子の飛散防止剤であって、前記塩類は、塩化ナトリウム、塩化カリウム、塩化カルシウム及び塩化マグネシウムからなる群から選ばれる一つ又は複数の成分であることを特徴とする。
請求項６記載の発明によれば、これらの塩類は安価に手に入りやすく、また、水に対する溶解度が大きいので、飛散防止剤における塩濃度を高くすることも可能である。また、塩類を塩化ナトリウムとしたときには、海水を利用してもよいので、集積部の存在する現場が海に近いときには非常に利便性がある。
【００１３】
請求項７記載の発明は、請求項４に記載の粒状粒子の飛散防止剤であって、前記アルカリは、消石灰、水酸化ナトリウム、水酸化カリウム、水酸化マグネシウム、水酸化鉄、水酸化アルミニウム及びセメントからなる群から選ばれる一つ又は複数の成分であることを特徴とする。
請求項７記載の発明によれば、これらのアルカリは安価に手に入りやすく、また、強アルカリなので少量のアルカリ成分で飛散防止剤のｐＨを高くすることができる。
【００１４】
【発明の実施の形態】
以下、図を参照して本発明を適用した実施の形態を詳細に説明する。
［第１の実施の形態］
まず、塩類成分を含むエマルジョンを用いて粒状粒子の集積部に散布して固結層を形成する飛散防止方法について、説明する。
【００１５】
エマルジョンは、粒状粒子を固結させて固結層を形成するための薬剤であり、塩類は、固結層中に塩類成分を含有させて雑草の発生を抑えるための成分である。塩類成分を含むエマルジョンを飛散防止剤と称し、まず、この飛散防止剤について説明する。
【００１６】
エマルジョン（ｅｍｕｌｓｉｏｎ）とは、互いに混ざり合わない２種の液体のうち、一方が微粒子となって他方の液体中に分散した乳濁液のことを意味する。特に、エマルジョンを形成する２成分を所定の高分子重合体と水とすれば、後述するように、このエマルジョンを含む飛散防止剤を散布すると、時間経過によって乾燥し、その結果、固化して固結層を形成することができる。
【００１７】
エマルジョンとしては、酢酸ビニル樹脂系エマルジョン、酢酸ビニル共重合体系エマルジョン、アクリル酸エステル系エマルジョン、スチレンアクリル酸エステル共重合体系エマルジョン、エチレン−酢酸ビニル系共重合体エマルジョン、スチレン−ブタジエン共重合体エマルジョン等がある。なかでもエチレン−酢酸ビニル系共重合体エマルジョンは粉粒状堆積物との優れた接着性や成膜性等により結合層の形成に効果があるとともに、形成された結合層に雨水に対する耐性を与えると共に、粉粒状堆積物への雨水の浸透抑制に効果を示す。エマルジョンには、さらに、乳化剤、着色剤等が添加されている。また、その他の好適な合成樹脂、合成高分子、天然高分子、アスファルト等を使用することができる。しかしながら、このほかの成分のエマルジョンであっても、後述するように、飛散防止剤を散布した後に、固化して固結層を形成可能な物質であれば使用することができる。
【００１８】
塩類は、酸と塩基との中和反応によって生じるイオン化合物のことを意味し、詳細には後述するが、例えば、塩化ナトリウム（ＮａＣｌ）、塩化カルシウム（ＣａＣｌ）、塩化カリウム、塩化マグネシウム等の塩素を含む塩類が好ましい。
【００１９】
適用にあたっては、まずエマルジョンを散布する現場において水で希釈する。希釈水としては、例えば、通常の水道水、地下水、河川水などで良く、それ以外の成分が混入した水であっても良い。
【００２０】
そして、希釈水に、塩類を溶解させる。つまり、散布する現場で塩類を希釈水に溶解させて塩類の水溶液を調整し、次に、エマルジョン原液とこの水溶液とを混合させて希釈し、飛散防止剤を作製する。このとき、エマルジョン原液を希釈して飛散防止剤が作製されたときに、後述するような塩濃度になるように、塩類を水に溶解する量を調整する。そして、後述する希釈濃度になるように塩類の水溶液で希釈混合して作製する。なお、エマルジョン原液自体も水と高分子の乳濁液なので水は含まれており、塩類はこの原液にも溶解するので、原液のエマルジョンに塩類を溶解させてから水で希釈しても良い。
【００２１】
具体的な構成としては、例えば、２〜４ｍ３の容量を有する混合タンクを有した吹き付け機を用いて、飛散防止剤の作製及び散布を行う。混合タンクには、エマルジョン原液を投入する口と、ポンプにより汲み上げた希釈水等を投入する口とを有している。希釈水は、場合に応じて、水道弁、河川、海水等より取水すればよい。そして、混合タンク内に汲み上げた希釈水に、塩類を投入して溶解させる。次に、エマルジョン原液を混合タンクに投入して撹拌機によって完全に混合させると、飛散防止剤が完成する。
【００２２】
混合タンクを備える吹き付け機は、例えば自動車に設置するようにしておき、散布現場及び希釈水を取り込む場所付近に吹き付け機を運搬すれば、上述したように、希釈水の汲み上げ、混合タンクにおける飛散防止剤の作製、及びノズルからの飛散防止剤の散布を同時に行うことも可能なので、散布量に対して混合タンク容量は小さくても良く、散布現場まではエマルジョン原液と、必要に応じて塩類を運搬するだけでよい。
【００２３】
なお、散布現場付近に海があるときには、塩類成分が含まれた希釈水として、海水を用いることができる。このとき、海水を汲み上げてエマルジョン原液を希釈するのみで良く、塩類を溶解させた希釈水を混合タンクで作製する必要がないので非常に利便性がある。
【００２４】
上述においては、散布現場において、エマルジョン原液を希釈して飛散防止剤を作製していたが、これにとらわれず、あらかじめエマルジョン原液を希釈して飛散防止剤を作製して散布現場に運搬しても良い。
【００２５】
次に、粒状粒子の集積部表面１０ａに飛散防止剤を散布して固結層を形成する方法について図１を用いて、説明する。図１は、本発明を適用した実施の形態の飛散防止措置例を示す断面図である。
【００２６】
図１においては、例えば、建築廃棄物としての残土や汚泥などの土砂を盛り土として積んだ粒状粒子の集積部１０の断面を示してあり、この集積部表面１０ａは傾斜を有した法面となっている。しかしながら、集積部１０の形状はこれにとらわれず、任意の集積部に対して本発明の飛散防止剤を使用できる。例えば、断面は四角形状でも良いし、また、集積部表面が平坦な形状、つまり平坦地であっても良い。平坦地としては、例えば、土砂により構成されたグラウンド等がある。また、集積部を構成する粒状粒子は、粒子状のものであれば良く、例えば、建築廃棄物以外に護岸工事や法面緑化工事などにおける土砂から構成される地面、または、石炭灰、木材の切りくず等でも良い。つまり、集積部１０は、法面を有する形状、平坦地、地面におけるむき出し部分など、粒子の集合としての様々な形状及び状態を含む。
【００２７】
飛散防止剤の希釈濃度及び散布量は、飛散防止効果を継続させたい期間、集積部表面１０ａの形状及び集積部を形成する粒状粒子の種類による。概ね、期間が長く、集積部表面１０ａの傾斜が大きく、粒状粒子の大きさが小さくなるにしたがって、希釈濃度及び散布量が大きくなる。期間が長くなるにしたがって固結層の厚さを大きくする必要があり、集積部表面１０ａの傾斜が大きいと散布された飛散防止剤が流れ落ちて無駄になる量も多く、また、粒状粒子が小さいと、飛散防止剤が集積部１０内部に染み込みにくくなるので固結層の厚さが小さくなってしまうからである。
【００２８】
飛散防止剤の散布量は、集積部表面の状態や原液の希釈濃度、効果持続期間によって異なるが、めやすとして、飛散防止効果を６ヶ月程度継続させたい場合には、原液の希釈濃度を１ｗｔ％〜１５ｗｔ％、散布量を０．５〜５（ｌ／ｍ２）とし、１２ヶ月程度継続させたい場合には、原液の希釈濃度を１５ｗｔ％〜２０ｗｔ％、散布量を１．５〜４（ｌ／ｍ２）とする。散布は数回に分けて行っても良い。しかしながら、上述した希釈濃度及び散布量は例示であり、実際には、その他の条件等を考えあわせて適宜調整すればよい。
【００２９】
飛散防止剤の散布は、例えば、以下のような方法で行う。上述した混合タンクから送水ポンプによってくみ出された飛散防止剤は送水ホース内を流れ、送水ホース先端に取り付けられた噴霧ノズルから吹き出される。この噴霧ノズルを人などが持つことにより、散布対象物である粒状粒子の集積部１０に飛散防止剤を散布することができる。散布は、集積部表面１０ａに対してむらのないよう均一に行う。エマルジョンに色素を加えておくと、集積部表面１０ａに散布されたときに、散布され着色された部分とそうでない部分が視覚的に区別できるようになる。したがって、むらなく散布できると共に、散布後に集積部表面１０ａが着色され美的な外観を有し、好ましい。
【００３０】
飛散防止剤が散布された集積部表面１０ａにおいては、集積部１０の表層に飛散防止剤が浸透する。集積部１０の表層とは、集積部表面１０ａ及び表面付近のことを意味する。そして、集積部１０が晒されている天候の状況にもよるが、半日から１日たつと、浸透した飛散防止剤の水分が徐々に蒸発して乾燥することによって、粒状粒子を融着するように高分子重合体の被膜が形成される。この被膜が固結層１２となる。
【００３１】
次に、飛散防止剤に混入させた塩類の効果について説明する。
集積部１０は土砂などの粒状粒子で形成されているので、時間が経過すると雑草などの植物が発育する可能性が高く、ともすると、従来技術の固結層のように、雑草によって飛散防止層が破壊されることによって機能しなくなるおそれがある。
【００３２】
これに対し、この実施の形態の飛散防止剤においては、塩類成分が含まれているので、形成された固結層１２においてまんべんなく塩類成分が含有された状態になっている。
【００３３】
ところで、植物は一般的に土壌に含まれる塩類の濃度つまり塩濃度が高いと発芽しない又は発育しにくくなる（塩害という。）。この現象が発生する塩濃度は植物によって異なるが、一般的には、０．３ｗｔ％〜１ｗｔ％程度の塩濃度において発生する。この塩害は主に塩類中の塩素イオンの存在によって生ずると考えられ、したがって、この実施の形態の塩類としては塩化カルシウム、塩化マグネシウム、塩化ナトリウム、塩化カリウム等の塩素を含む塩類が好ましい。これらの塩類は、安価に手に入りやすく、また、水に対する溶解度が大きいので、飛散防止剤における塩濃度を高くすることも可能であるので好適である。また、塩濃度は、０．３ｗｔ％〜１ｗｔ％であればよく、好ましくは１ｗｔ％以上であると一般的な植物は発芽及び発育は困難になるので好適である。特に、希釈水に海水を用いた場合には、海水は塩化ナトリウムの濃度が約３ｗｔ％であるので、好適に塩害を生じさせることができる。
【００３４】
このように、第１の実施の形態の飛散防止方法においては、固結層１２内においては塩類が含有されるので、固結層１２内においては、雑草が発芽及び発育しにくい。したがって、集積部１０内部において発芽及び発育した雑草も固結層１２にまで達すると、固結層１２内に侵入して発育しにくくなる。さらに、ｉ）の飛散防止剤においては、固結層１２から集積部１０内部に塩類が浸透するので、固結層１２に達するまで雑草が発育するのも困難になる。その結果、雑草により固結層１２が破壊されることがないので、長期間飛散防止効果を有する。さらには、固結層１２に雑草が存在しないので、集積部１０外観の美観を向上できる。
【００３５】
次に、第１の実施の形態の変形例について説明する。
この変形例は、上述した塩類の存在によって雑草を生じさせない構成とは異なり、固結層１２の硬さ或いは厚さを大きくすることによって、雑草が存在しても固結層が破壊されるのを防ぐための構成である。
【００３６】
この変形例では、塩類を含有させず、エマルジョンだけを飛散防止剤として散布して、固結層１２を形成する。使用するエマルジョンの種類、エマルジョンを希釈して飛散防止剤を調整する方法及び散布方法については、第１の実施の形態と同様であるので、説明を省略する。
【００３７】
固結層１２が雑草により破壊されるのは、主に、固結層１２の内側の集積部１０内において存在する雑草の種から発芽及び発育して固結層１２が押し上げられて破壊される場合である。第１の実施の形態のように、飛散防止剤に雑草が固結層１２に侵入して発育するのを防止する塩類成分が含有されている構成であれば、上述したように、固結層１２が破壊されるのを好適に防止することができる。これに対して、この変形例のように塩類が含まれていない構成の場合は、固結層１２が破壊されるのを防ぐには、固結層１２の硬さ又は厚さを大きくするのが良い。
【００３８】
硬さに関しては、固結層１２の破壊を防ぐには、好ましくは固結層１２は２５０（ｋＮ／ｍ２）以上の強度を有していれば良い。この強度は、固結層１２の硬さのことであり、硬度のことを意味する。このとき、集積部１０内において雑草が発芽及び発育して固結層１２に達しても、固結層１２は十分硬いので、この雑草により固結層１２が破壊されることがない。
【００３９】
固結層１２の硬さを大きくするには、具体的には、第１の実施の形態で述べた希釈濃度より高くするのが良い。希釈濃度が高くなると、散布された飛散防止剤が集積部１０表層に浸透する領域はほとんど変化しなくても、浸透した領域内において、固化して固結層１２を形成するための成分の濃度が高くなるので、固結層１２の硬さは大きくなる。
【００４０】
厚さに関しては、好適な数値は例示しないが、以下に述べるメカニズムを考えあわせて、好適な厚さになるように適宜調整すればよい。植物の発芽及び発育する条件として、適度な光及び酸素量が必要なことを考えると、土壌の表面に比べて、土壌の内部からの発芽・発育は一般に困難である。したがって、固結層１２の厚さが大きいときほど、外部から、固結層１２内部の集積部１０までの距離が大きくなるので、集積部１０内部において雑草が発芽及び発育する可能性が低くなり、したがって、固結層１２が破壊されるのを防ぐことができる。
【００４１】
固結層１２の厚さを大きくするには、具体的には、第１の実施の形態で述べた散布量より多くするのが良い。散布量が多くなると、散布された飛散防止剤が集積部１０表層に浸透する深さが大きくなるので、固結層１２の厚さは大きくなる。
なお、固結層１２の厚さが大きくなると、物理的に固結層１２の硬さも大きくなると考えられる。したがって、硬さを大きくするには、上述した飛散防止剤の希釈濃度を大きくする以外に、散布量を多くするのも効果がある。
【００４２】
［第２の実施の形態］
次に、アルカリを含むエマルジョンを用いて粒状粒子の集積部に散布して固結層を形成する飛散防止方法について、説明する。なお、上述した第１の実施の形態と同じ構成部分については説明を省略し、異なる構成部分のみ説明する。
【００４３】
エマルジョンは、第１の実施の形態と同様に粒状粒子を固結させて固結層を形成するための薬剤であり、アルカリは、固結層中にアルカリ成分を含有させて雑草の発生を抑えるための成分である。アルカリを含むエマルジョンを飛散防止剤と称し、まず、この飛散防止剤について説明する。
【００４４】
アルカリとしては、例えば、水酸化カルシウム（消石灰、Ｃａ（ＯＨ）２）、水酸化ナトリウム、水酸化カリウム、水酸化マグネシウム、水酸化アルミニウム、水酸化鉄などの水酸基を持つアルカリ、及びセメント等があげられる。
【００４５】
飛散防止剤の作製は、エマルジョンを希釈するための希釈水に、アルカリを溶解させると良い。つまり、散布する現場でアルカリを希釈水に溶解させてアルカリの水溶液を調整し、次に、エマルジョンの原液とこの水溶液とを混合させて希釈し、飛散防止剤を作製する。このとき、エマルジョンを希釈して飛散防止剤が作製されたときに、後述するようなｐＨになるように、アルカリを水に溶解する量を調整する。そして、後述する希釈濃度になるようにアルカリの水溶液で希釈混合して作製する。
飛散防止剤の散布及び固結層の形成については、第１の実施の形態と同様である。
【００４６】
次に、飛散防止剤に混入させたアルカリの効果について説明する。
この実施の形態の飛散防止剤においては、アルカリが含まれているので、形成された固結層１２においてまんべんなくアルカリが含有された状態になっている。
【００４７】
植物は一般的に土壌のｐＨが高いすなわちアルカリ性においては発芽しない又は発育しにくくなる。この現象が発生するｐＨは植物によって異なるが、一般的には、ｐＨが８．５以上において発生する。好ましくは、ｐＨが９．０以上であれば、この土壌においては発芽及び発育は困難になる。このような土壌ｐＨと植物の適応域についての資料は、肥料検定協会から公表されている緑化工法などにおいて明示されている。このｐＨを高くするために用いるアルカリとしては、消石灰（水酸化カルシウム）、水酸化ナトリウム、水酸化カリウム、水酸化マグネシウム、水酸化鉄、水酸化アルミニウム等の水酸基を持つアルカリ剤、及びセメントが好ましい。安価で手に入りやすく、また、強アルカリなので少量のアルカリで飛散防止剤のｐＨを高くすることができるからである。このとき、水に対して溶解してｐＨが８．５以上、好ましくは９．０以上になると良い。なお、アルカリの濃度が高くても、飛散防止剤においては、エマルジョンが比較的安定に存在するので、ｐＨを高くし易いという利点がある。
【００４８】
このように、第２の実施の形態の飛散防止剤においては、固結層１２内においてはアルカリが含有されるので、固結層１２内においては、雑草が発芽及び発育しにくい。したがって、集積部１０内部において発芽及び発育した雑草も固結層１２にまで達すると、固結層１２内に侵入して発育しにくくなる。さらに、固結層１２から集積部１０内部にアルカリが浸透するので、固結層１２に達するまで雑草が発育するのも困難になる。その結果、雑草により固結層１２が破壊されることがないので、長期間飛散防止効果を有する。さらには、固結層１２に雑草が存在しないので、集積部１０外観の美観を向上できる。
【００４９】
【発明の効果】
請求項１記載の発明によれば、エマルジョン散布により集積部の表面及び表面付近に固結層が形成されるので、粒状粒子の飛散防止効果を有する。さらに、散布されたエマルジョンには塩類を含むので、固結層においては植物の発芽及び発育は困難になり、その結果、雑草により固結層が破壊されることがほとんどないので、長期間飛散防止効果を有する。さらには、固結層に雑草が存在しないので、集積部外観の美観を向上できる。
【００５０】
請求項２記載の発明によれば、エマルジョン散布により集積部の表面及び表面付近に固結層が形成されるので、粒状粒子の飛散防止効果を有する。さらに、散布されたエマルジョンにはアルカリを含むので、固結層においては植物の発芽及び発育は困難になり、その結果、雑草により固結層が破壊されることがほとんどないので、長期間飛散防止効果を有する。さらには、固結層に雑草が存在しないので、集積部外観の美観を向上できる。
【００５１】
請求項３記載の発明によれば、エマルジョン散布により集積部の表面及び表面付近に固結層が形成されるので、粒状粒子の飛散防止効果を有する。さらに、固結層の強度が２５０（ｋＮ／ｍ２）以上であれば固結層は十分硬いので、集積部において発芽及び発育した雑草が、固結層内に侵入し固結層を押し上げることができず、したがって、雑草の発育により固結層が破壊されることはない。
【００５２】
また、請求項４記載の発明によれば、請求項１記載の発明と同様の効果を有する。
請求項５記載の発明によれば、請求項２記載の発明と同様の効果を有する。
【００５３】
請求項６記載の発明によれば、これらの塩類は安価に手に入りやすく、また、水に対する溶解度が大きいので、飛散防止剤における塩濃度を高くすることも可能である。また、塩類を塩化ナトリウムとしたときには、海水を利用してもよいので、集積部の存在する現場が海に近いときには非常に利便性がある。
【００５４】
請求項７記載の発明によれば、これらのアルカリは安価に手に入りやすく、また、強アルカリなので少量のアルカリ成分で飛散防止剤のｐＨを高くすることができる。
【図面の簡単な説明】
【図１】本発明を適用した実施の形態の粒状粒子の飛散防止措置例を示す断面図である。
【図２】従来技術の粒状粒子の飛散防止措置例を示す断面図である。
【符号の説明】
１０、１４　粒状粒子の集積部
１０ａ　集積部の表面
１２、１６　固結層
１８　雑草
【図１】
2004008897.tif 000003
【図２】
2004008897.tif 000004